(57)【要約】【課題】  可搬型装置に内蔵された記録媒体への放送番組データの記録に際して、利用者の利便性を向上させる。【解決手段】  情報処理装置３００とナビゲーション本体部４００から構成される第１複合装置が、情報処理装置３００の離脱の予兆を検出すると、記録処理状況報告ＲＩＮを放送番組記録装置５００へ向けて送信する。記録処理状況報告ＲＩＮを受けた放送番組記録装置５００は、放送番組データの一時記録を開始する。また、第１複合装置は、記録中断処理を検出すると、記録中断情報ＳＰＮを放送番組記録装置５００へ向けて送信する。そして、記録中断情報ＳＰＮを受けた放送番組記録装置５００は、情報処理装置３００が装着された場合に、記録中断情報ＳＰＮに基づき一時記録されたデータから記録中断処理後のデータを抽出して補完を行うとともに、装着後における放送番組データの記録のための処理を続行する。【選択図】  図１
2010011262.tif 000002
【特許請求の範囲】
【請求項１】
記録媒体を内蔵した可搬型装置と、前記可搬型装置が装着可能であり、前記可搬型装置が装着された場合に、記録指定に対応して受信した放送番組データを前記可搬型装置に供給する第１及び第２記録装置とを備える放送番組記録システムであって、
前記第１記録装置及び前記第２記録装置のいずれか一方に前記可搬型装置が装着されて構成される複合装置が、
前記可搬型装置への前記放送番組データの記録のための処理の実行中における前記可搬型装置の離脱の予兆を検出する離脱予兆検出手段と；
前記離脱予兆検出手段により前記可搬型装置の離脱の予兆が検出された場合に、前記放送番組データの記録処理状況情報を、他方の記録装置へ送る記録処理状況送信手段と；
前記放送番組データの記録のための処理の中断を検出する中断検出手段と；
前記中断検出手段により前記処理が中断したことが検出された場合に、記録中断情報を前記他方の記録装置へ送る記録中断情報送信手段と；を備え、
前記他方の記録装置が、
前記放送番組データが一時的に記録される一時記録手段と；
前記記録処理状況情報を受けた場合に、前記一時記録手段に対する、その後の前記放送番組データの記録のための制御を行う一時記録制御手段と；
前記記録中断情報を受けた場合に、前記記録中断情報を保持する保持手段と；
前記可搬型装置が装着された場合に、前記記録中断情報に基づいて、前記一時記録手段に一時的に記録された放送番組データから抽出した補完用データを前記可搬型装置に供給するとともに、前記可搬型装置の装着後における前記放送番組データの前記可搬型装置への記録のための処理を行う記録処理手段と；を備える、
ことを特徴とする放送番組記録システム。
【請求項２】
前記第１記録装置は、移動体に搭載され、前記第２記録装置は、固定位置に配置される、ことを特徴とする請求項１に記載の放送番組記録システム。
【請求項３】
前記複合装置は、前記第１記録装置に前記可搬型装置が装着されて構成され、
前記複合装置は、
前記第２記録装置の配置位置情報が記憶された記憶手段と；
前記第１記録装置の現在位置を検出する位置検出手段と；を更に備え、
前記離脱予兆検出手段は、前記記憶手段の記憶内容と、前記位置検出手段による検出結果とを利用して求められる前記第１記録装置と前記第２記録装置との距離が所定距離範囲内に入ったことを、前記可搬型装置の離脱の予兆として検出する、ことを特徴とする請求項２に記載の放送番組記録システム。
【請求項４】
前記複合装置は、前記第１記録装置に前記可搬型装置が装着されて構成され、
前記第１記録装置は、前記第２記録装置との間で通信を行う短距離無線通信手段を更に備え、
前記離脱予兆検出手段は、前記第２記録装置との間で通信が可能となったことを、前記可搬型装置の離脱の予兆として検出する、ことを特徴とする請求項２に記載の放送番組記録システム。
【請求項５】
前記複合装置は、前記第２記録装置に前記可搬型装置が装着されて構成され、
前記第２記録装置は、前記第１記録装置との間で通信を行う短距離無線通信手段を更に備え、
前記離脱予兆検出手段は、前記第１記録装置との間で通信が可能となったことを、前記可搬型装置の離脱の予兆として検出する、ことを特徴とする請求項２〜４のいずれか一項に記載の放送番組記録システム。
【請求項６】
記録媒体を内蔵した可搬型装置と、前記可搬型装置が装着可能であり、前記可搬型装置が装着された場合に、記録指定に対応して受信した放送番組データを前記可搬型装置に供給する第１及び第２記録装置とを備える放送番組記録システムであって、
前記第１記録装置及び前記第２記録装置のいずれか一方に前記可搬型装置が装着されて構成される複合装置が、
前記可搬型装置への前記放送番組データの記録のための処理の実行中における前記可搬型装置の離脱の予兆を検出する離脱予兆検出手段と；
前記離脱予兆検出手段により前記可搬型装置の離脱の予兆が検出された場合に、前記放送番組データの記録処理状況情報を、他方の記録装置へ送る記録処理状況送信手段と；
前記放送番組データの記録のための処理の中断を検出する中断検出手段と；
前記中断検出手段により前記処理が中断したことが検出された場合に、記録中断情報を前記可搬型装置の記録媒体に記録する記録中断情報記録制御手段と；を備え、
前記他方の記録装置が、
前記放送番組データが一時的に記録される一時記録手段と；
前記記録処理状況情報を受けた場合に、前記一時記録手段に対する、その後の前記放送番組データの記録のための制御を行う一時記録制御手段と；
前記可搬型装置が装着された場合に、前記記録中断情報に基づいて、前記一時記録手段に一時的に記録された放送番組データから抽出した補完用データを前記可搬型装置に供給するとともに、前記可搬型装置の装着後における前記放送番組データの前記可搬型装置への記録のための処理を行う記録処理手段と；を備える、
ことを特徴とする放送番組記録システム。
【請求項７】
前記第１記録装置は、移動体に搭載され、前記第２記録装置は、固定位置に配置される、ことを特徴とする請求項６に記載の放送番組記録システム。
【請求項８】
前記複合装置は、前記第１記録装置に前記可搬型装置が装着されて構成され、
前記複合装置は、
前記第２記録装置の配置位置情報が記憶された記憶手段と；
前記第１記録装置の現在位置を検出する位置検出手段と；を更に備え、
前記離脱予兆検出手段は、前記記憶手段の記憶内容と、前記位置検出手段による検出結果とを利用して求められる前記第１記録装置と前記第２記録装置との距離が所定距離範囲内に入ったことを、前記可搬型装置の離脱の予兆として検出する、ことを特徴とする請求項７に記載の放送番組記録システム。
【請求項９】
前記複合装置は、前記第１記録装置に前記可搬型装置が装着されて構成され、
前記第１記録装置は、前記第２記録装置との間で通信を行う短距離無線通信手段を更に備え、
前記離脱予兆検出手段は、前記第２記録装置との間で通信が可能となったことを、前記可搬型装置の離脱の予兆として検出する、ことを特徴とする請求項７に記載の放送番組記録システム。
【請求項１０】
前記複合装置は、前記第２記録装置に前記可搬型装置が装着されて構成され、
前記第２記録装置は、前記第１記録装置との間で通信を行う短距離無線通信手段を更に備え、
前記離脱予兆検出手段は、前記第１記録装置との間で通信が可能となったことを、前記可搬型装置の離脱の予兆として検出する、ことを特徴とする請求項７〜９のいずれか一項に記載の放送番組記録システム。
【請求項１１】
前記記録処理状況情報には、記録中番組情報及び記録予約に関する情報の少なくとも一方が含まれる、ことを特徴とする請求項１〜１０のいずれか一項に記載の放送番組記録システム。
【請求項１２】
前記記録中断情報には、前記処理が中断した時の前記記録媒体の前記放送番組データにおける記録中断位置情報が含まれる、ことを特徴とする請求項１〜１１のいずれか一項に記載の放送番組記録システム。
【請求項１３】
第１及び第２記録装置が協働して、記録指定に対応して受信した放送番組データを、前記第１及び第２記録装置に装着可能な可搬型装置内の記録媒体に記録する放送番組記録方法であって、
前記可搬型装置が前記第１記録装置に装着されて構成される複合装置が、前記可搬型装置への前記放送番組データの記録のための処理の実行中における前記可搬型装置の離脱の予兆を検出する離脱予兆検出工程と；
前記離脱予兆検出工程において前記可搬型装置の離脱の予兆が検出された場合に、前記複合装置が、前記放送番組データの記録処理状況情報を、前記第２記録装置へ送る記録処理状況送信工程と；
前記記録処理状況情報を受けた前記第２記録装置が、前記放送番組データの一時的記録のため処理を行う一時記録処理工程と；
前記複合装置が、前記放送番組データの記録のための処理の中断を検出する中断検出工程と；
前記複合装置が、前記中断検出工程において前記処理が中断したことが検出された場合に、記録中断情報を前記第２記録装置へ送る記録中断情報送信工程と；
前記記録中断情報を受けた前記第２記録装置が、前記記録中断情報を保持する保持工程と；
前記第２記録装置が、前記可搬型装置が装着された場合に、前記記録中断情報に基づいて、一時的に記録された放送番組データから抽出した補完用データを前記可搬型装置に供給するとともに、前記可搬型装置の装着後における前記放送番組データの前記可搬型装置への記録のための処理を行う記録処理工程と；
を備えることを特徴とする放送番組記録方法。
【請求項１４】
第１及び第２記録装置が協働して、記録指定に対応して受信した放送番組データを、前記第１及び第２記録装置に装着可能な可搬型装置内の記録媒体に記録する放送番組記録方法であって、
前記可搬型装置が前記第１記録装置に装着されて構成される複合装置が、前記可搬型装置への前記放送番組データの記録のための処理の実行中における前記可搬型装置の離脱の予兆を検出する離脱予兆検出工程と；
前記離脱予兆検出工程において前記可搬型装置の離脱の予兆が検出された場合に、前記複合装置が、前記放送番組データの記録処理状況情報を、前記第２記録装置へ送る記録処理状況送信工程と；
前記記録処理状況情報を受けた前記第２記録装置が、前記放送番組データの一時的記録のため処理を行う一時記録処理工程と；
前記複合装置が、前記放送番組データの記録のための処理の中断を検出する中断検出工程と；
前記複合装置が、前記中断検出工程において前記処理が中断したことが検出された場合に、記録中断情報を前記可搬型装置の記録媒体に記録する記録中断情報記録制御工程と；
前記第２記録装置が、前記可搬型装置が装着された場合に、前記記録中断情報に基づいて、一時的に記録された放送番組データから抽出した補完用データを前記可搬型装置に供給するとともに、前記可搬型装置の装着後における前記放送番組データの前記可搬型装置への記録のための処理を行う記録処理工程と；
を備えることを特徴とする放送番組記録方法。
【発明の詳細な説明】
【技術分野】
【０００１】
本発明は、放送番組記録システム及び放送番組記録方法に関する。
【背景技術】
【０００２】
従来から、テレビ放送番組を記録する様々な記録装置が、利用者に提供されている。また、近年では、家屋内のみならず、車両等の移動体においてもテレビ放送番組を受信し、当該テレビ放送番組を視聴することが可能になったことから、こうした移動体にもテレビ放送番組を記録する記録装置が搭載されるようになってきている。
【０００３】
ところで、例えば、車両等の移動体に搭載された記録装置においてテレビ放送番組を記録している場合においては、記録しているテレビ放送番組の終了前に、移動体が自宅に到達してしまうことがある。こうした場合に、自宅到着後における当該テレビ放送番組を、移動体に搭載された記録装置が記録を行っている記録媒体に引き続き記録しようとすると、当該記録装置の動作の実行を継続させることが考えられる。かかる動作の実行に際しては、一般に、利用者が移動体内に留まっていることが必要であるが、こうした事態の発生は、利用者の利便性を著しく損なうことになる。
【０００４】
このため、テレビ放送番組の記録のための記録媒体を内蔵する装置を可搬型とするとともに、自宅においても可搬型装置内の記録媒体に放送番組データを記録できる設備を用意し、例えば、移動体内から自宅内に移動する間の放送番組データを、自宅における設備において補完することが考えられる。かかる場合に適用できる技術として、特許文献１に記載の技術（以下、「従来例」と呼ぶ）が提案されている。
【０００５】
この従来例の技術では、上記の可搬型装置に該当する携帯端末においてテレビ放送番組の記録を開始すると、連動して自動的に自宅内に配置された記録装置で当該テレビ放送番組の記録を行う。そして、携帯端末の記録媒体に記録することのできなかったデータ欠損が存在する場合は、当該部分の放送番組データを自宅に配置された記録装置から携帯端末へ送信し結合するものである。
【０００６】
【特許文献１】特開２００６−３５２２５３号公報
【発明の開示】
【発明が解決しようとする課題】
【０００７】
上述した従来例の技術では、携帯端末と自宅に配置された記録装置とにおいて、常に並行して、同一の放送番組データを記録することになる。この結果、データ補完のためだけに利用される自宅内に配置される記録装置においても、大量のデータを記録するための資源が必要となってしまう。
【０００８】
このため、簡易な構成で、可搬型装置に内蔵された記録媒体に、データ欠損のない状態の一本の放送番組データを記録させることのできる技術が待望されている。かかる要請に応えることが、本発明が解決すべき課題の一つに挙げられる。
【０００９】
本発明は、上記の事情を鑑みてなされたものであり、可搬型装置に内蔵された記録媒体への放送番組データの記録に際して、利用者の利便性を向上することができる放送番組記録システム及び放送番組記録方法を提供することを目的とする。
【課題を解決するための手段】
【００１０】
請求項１に記載の発明は、記録媒体を内蔵した可搬型装置と、前記可搬型装置が装着可能であり、前記可搬型装置が装着された場合に、記録指定に対応して受信した放送番組データを前記可搬型装置に供給する第１及び第２記録装置とを備える放送番組記録システムであって、前記第１記録装置及び前記第２記録装置のいずれか一方に前記可搬型装置が装着されて構成される複合装置が、前記可搬型装置への前記放送番組データの記録のための処理の実行中における前記可搬型装置の離脱の予兆を検出する離脱予兆検出手段と；前記離脱予兆検出手段により前記可搬型装置の離脱の予兆が検出された場合に、前記放送番組データの記録処理状況情報を、他方の記録装置へ送る記録処理状況送信手段と；前記放送番組データの記録のための処理の中断を検出する中断検出手段と；前記中断検出手段により前記処理が中断したことが検出された場合に、記録中断情報を前記他方の記録装置へ送る記録中断情報送信手段と；を備え、前記他方の記録装置が、前記放送番組データが一時的に記録される一時記録手段と；前記記録処理状況情報を受けた場合に、前記一時記録手段に対する、その後の前記放送番組データの記録のための制御を行う一時記録制御手段と；前記記録中断情報を受けた場合に、前記記録中断情報を保持する保持手段と；前記可搬型装置が装着された場合に、前記記録中断情報に基づいて、前記一時記録手段に一時的に記録された放送番組データから抽出した補完用データを前記可搬型装置に供給するとともに、前記可搬型装置の装着後における前記放送番組データの前記可搬型装置への記録のための処理を行う記録処理手段と；を備える、ことを特徴とする放送番組記録システムである。
【００１１】
請求項６に記載の発明は、記録媒体を内蔵した可搬型装置と、前記可搬型装置が装着可能であり、前記可搬型装置が装着された場合に、記録指定に対応して受信した放送番組データを前記可搬型装置に供給する第１及び第２記録装置とを備える放送番組記録システムであって、前記第１記録装置及び前記第２記録装置のいずれか一方に前記可搬型装置が装着されて構成される複合装置が、前記可搬型装置への前記放送番組データの記録のための処理の実行中における前記可搬型装置の離脱の予兆を検出する離脱予兆検出手段と；前記離脱予兆検出手段により前記可搬型装置の離脱の予兆が検出された場合に、前記放送番組データの記録処理状況情報を、他方の記録装置へ送る記録処理状況送信手段と；前記放送番組データの記録のための処理の中断を検出する中断検出手段と；前記中断検出手段により前記処理が中断したことが検出された場合に、記録中断情報を前記可搬型装置の記録媒体に記録する記録中断情報記録制御手段と；を備え、前記他方の記録装置が、前記放送番組データが一時的に記録される一時記録手段と；前記記録処理状況情報を受けた場合に、前記一時記録手段に対する、その後の前記放送番組データの記録のための制御を行う一時記録制御手段と；前記可搬型装置が装着された場合に、前記記録中断情報に基づいて、前記一時記録手段に一時的に記録された放送番組データから抽出した補完用データを前記可搬型装置に供給するとともに、前記可搬型装置の装着後における前記放送番組データの前記可搬型装置への記録のための処理を行う記録処理手段と；を備える、ことを特徴とする放送番組記録システムである。
【００１２】
請求項１３に記載の発明は、第１及び第２記録装置が協働して、記録指定に対応して受信した放送番組データを、前記第１及び第２記録装置に装着可能な可搬型装置内の記録媒体に記録する放送番組記録方法であって、前記可搬型装置が前記第１記録装置に装着されて構成される複合装置が、前記可搬型装置への前記放送番組データの記録のための処理の実行中における前記可搬型装置の離脱の予兆を検出する離脱予兆検出工程と；前記離脱予兆検出工程において前記可搬型装置の離脱の予兆が検出された場合に、前記複合装置が、前記放送番組データの記録処理状況情報を、前記第２記録装置へ送る記録処理状況送信工程と；前記記録処理状況情報を受けた前記第２記録装置が、前記放送番組データの一時的記録のため処理を行う一時記録処理工程と；前記複合装置が、前記放送番組データの記録のための処理の中断を検出する中断検出工程と；前記複合装置が、前記中断検出工程において前記処理が中断したことが検出された場合に、記録中断情報を前記第２記録装置へ送る記録中断情報送信工程と；前記記録中断情報を受けた前記第２記録装置が、前記記録中断情報を保持する保持工程と；前記第２記録装置が、前記可搬型装置が装着された場合に、前記記録中断情報に基づいて、一時的に記録された放送番組データから抽出した補完用データを前記可搬型装置に供給するとともに、前記可搬型装置の装着後における前記放送番組データの前記可搬型装置への記録のための処理を行う記録処理工程と；を備えることを特徴とする放送番組記録方法である。
【００１３】
請求項１４に記載の発明は、第１及び第２記録装置が協働して、記録指定に対応して受信した放送番組データを、前記第１及び第２記録装置に装着可能な可搬型装置内の記録媒体に記録する放送番組記録方法であって、前記可搬型装置が前記第１記録装置に装着されて構成される複合装置が、前記可搬型装置への前記放送番組データの記録のための処理の実行中における前記可搬型装置の離脱の予兆を検出する離脱予兆検出工程と；前記離脱予兆検出工程において前記可搬型装置の離脱の予兆が検出された場合に、前記複合装置が、前記放送番組データの記録処理状況情報を、前記第２記録装置へ送る記録処理状況送信工程と；前記記録処理状況情報を受けた前記第２記録装置が、前記放送番組データの一時的記録のため処理を行う一時記録処理工程と；前記複合装置が、前記放送番組データの記録のための処理の中断を検出する中断検出工程と；前記複合装置が、前記中断検出工程において前記処理が中断したことが検出された場合に、記録中断情報を前記可搬型装置の記録媒体に記録する記録中断情報記録制御工程と；前記第２記録装置が、前記可搬型装置が装着された場合に、前記記録中断情報に基づいて、一時的に記録された放送番組データから抽出した補完用データを前記可搬型装置に供給するとともに、前記可搬型装置の装着後における前記放送番組データの前記可搬型装置への記録のための処理を行う記録処理工程と；を備えることを特徴とする放送番組記録方法である。
【発明を実施するための最良の形態】
【００１４】
以下、本発明の一実施形態を、図１〜図１０を参照して説明する。なお、以下の説明及び図面においては、同一又は同等の要素には同一の符号を付し、重複する説明は省略する。
【００１５】
［構成］
図１には、一実施形態に係る放送番組記録システム１００の概略的な構成がブロック図にて示されている。この図１に示されるように、放送番組記録システム１００は、可搬型装置としての情報処理装置３００と、第１記録装置としてのナビゲーション本体部４００と、第２記録装置としての放送番組記録装置５００とを備えている。ここで、ナビゲーション本体部４００は車両ＣＲに搭載され、放送番組記録装置５００は家屋ＨＭ内に設置される。また、ナビゲーション本体部４００と放送番組記録装置５００とは、短距離無線通信により通信を行うことができるようになっている。
【００１６】
上記の情報処理装置３００は、放送番組データを記録するための記録媒体を内蔵した可搬型の装置であり、ナビゲーション本体部４００に装着可能であるとともに、放送番組記録装置５００にも装着可能となっている。情報処理装置３００は、ナビゲーション本体部４００に装着された状態（この状態の複合装置を「第１複合装置」とも記す）では、ナビゲーション本体部４００との間で様々なデータのやり取りを行う。以下、情報処理装置３００とナビゲーション本体部４００との間でやり取りが行われるデータを総称する場合には、「ナビゲーション通信データＮＣＤ」と呼ぶ。こうして、情報処理装置３００がナビゲーション本体部４００に装着されて、第１複合装置であるナビゲーション装置２００が構成されるようになっている。
【００１７】
また、情報処理装置３００は、放送番組記録装置５００に装着された状態（この状態の複合装置を「第２複合装置」とも記す）では、放送番組記録装置５００との間でデータのやり取りを行う。以下、情報処理装置３００と放送番組記録装置５００との間でやり取りが行われるデータを総称する場合には、「ホーム通信データＨＣＤ」と呼ぶ。
【００１８】
なお、情報処理装置３００の構成については、後述する。
【００１９】
次に、上記のナビゲーション本体部４００について説明する。このナビゲーション本体部４００は、図２に示されるように、アンテナ４１０と、放送信号処理ユニット４１５と、アンテナ４２０と、無線通信ユニット４２５と、放送番組データ記録処理部４３０とを備えている。また、ナビゲーション本体部４００は、操作入力ユニット４４０と、音出力ユニット４５０と、表示ユニット４６０と、位置検出手段としてのナビゲーションデータ取得ユニット４７０を備えている。さらに、ナビゲーション本体部４００は、情報処理装置インターフェイス（ＢＩＦ）４８０を備えている。
【００２０】
上記のアンテナ４１０は、放送波を受信する。このアンテナ４１０による受信結果は、受信信号ＲＦＳとして、放送信号処理ユニット４１５へ向けて出力される。
【００２１】
上記の放送信号処理ユニット４１５は、不図示のチューナ部と、復調部と、デコード部とを備えて構成されている。
【００２２】
チューナ部は、アンテナ４１０からの受信信号ＲＦＳを受ける。そして、チューナ部は、放送番組データ記録処理部４３０からの選局指令ＣＳＬに従って、選局すべきチャンネルの信号を受信信号ＲＦＳから抽出し、中間周波数を有する選局信号を復調部へ向けて出力する。復調部は、選局信号に対して復調処理を施して、その結果を復調データとして、デコード部へ向けて出力する。デコード部は、コード化された復調データをデコードし、復号データＤＣＤを生成する。こうして生成された復号データＤＣＤは、放送番組データ記録処理部４３０へ向けて出力される。
【００２３】
上記のアンテナ４２０は、放送番組記録装置５００からの無線信号を受信するとともに、放送番組記録装置５００へ向けて無線信号を送信する。アンテナ４２０による受信結果は、無線通信ユニット４２５へ向けて出力される。また、アンテナ４２０は、無線通信ユニット４２５からの送信信号を受けて、当該送信信号に対応する無線信号を、放送番組記録装置５００へ向けて送信する。
【００２４】
上記の無線通信ユニット４２５は、アンテナ４２０から受信した受信信号を処理して、放送番組データ記録処理部４３０で処理可能なデジタルデータ信号に変換する。また、無線通信ユニット４２５は、放送番組データ記録処理部４３０からの送信信号を処理して、放送番組記録装置５００へ送信する無線信号に対応する信号に変換し、アンテナ４２０へ送る。
【００２５】
上記の放送番組データ記録処理部４３０は、図３に示されるように、一時記録手段としての一時記録部４３１と、記録処理状況送信手段、中断検出手段、記録中断情報送信手段、一時記録制御手段、保持手段としての記録制御部４３２と、記録処理手段としての読出部４３３とを備えている。
【００２６】
上記の一時記録部４３１は、記録制御部４３２から送られてくる記録用放送番組データＴＮＷを一時記録する。この一時記録部４３１は、データの書き込みポインタと、読み出しポインタとを持ち、データの書き込み時は書き込みポインタの示すアドレスの後にデータを順次格納するとともに、データの読み出し時は読み出しポインタの示すアドレスから順次データを読み出すことができるようになっている。
【００２７】
。
上記の記録制御部４３２は、操作入力ユニット４４０からの指令、又は、無線通信ユニット４２５を介した放送番組記録装置５００からの指令に基づいて、放送信号処理ユニット４１５を制御するとともに、希望局に対応する放送番組の音声及び映像の記録処理を制御する。
【００２８】
具体的には、記録制御部４３２は、操作入力ユニット４４０に入力された選局指定を含む放送番組の記録指令を操作入力データＩＰＤとして受けると、当該選局指定に従って再生チャンネルの選局指令ＣＳＬを生成し、放送信号処理ユニット４１５へ向けて出力する。そして、記録制御部４３２は、放送信号処理ユニット４１５から送られてくる複号データＤＣＤの記録処理を開始する。
【００２９】
一方、記録制御部４３２は、無線通信ユニット４２５を介して、放送番組記録装置５００からの記録処理状況情報ＲＩＨを受けると、当該情報に含まれる選局指定に従って再生チャンネルの選局指令ＣＳＬを生成し、放送信号処理ユニット４１５へ向けて出力する。そして、記録制御部４３２は、放送信号処理ユニット４１５から送られてくる複号データＤＣＤの記録処理を開始する。
【００３０】
この記録処理に際して、記録制御部４３２は、複号データＤＣＤから記録用放送番組データＴＮＷを生成する。そして、記録制御部４３２は、一時記録部４３１にアクセスし、当該記録用放送番組データＴＮＷの書き込みを行う。
【００３１】
記録制御部４３２は、放送番組記録装置５００からの記録処理状況情報ＲＩＨ及び後述する記録中断情報ＳＰＨを受けていない場合においては、この記録用放送番組データＴＮＷの書き込み開始時に、書き込み開始時の一時記録部４３１のメモリのアドレス情報を含む読出指令ＰＴＲを生成し、読出部４３３へ送る。なお、放送番組記録装置５００からの記録処理状況情報ＲＩＨ及び後述する記録中断情報ＳＰＨを受けたときについては、後述する。
【００３２】
また、記録制御部４３２は、ＢＩＦ４８０を介して情報処理装置３００からの離脱予兆検出報告ＬＤＮを受けると、選局指定等の記録中番組情報を含む記録処理状況情報ＲＩＮを生成する。そして、記録制御部４３２は、無線通信ユニット４２５を介して、当該記録処理状況情報ＲＩＮを放送番組記録装置５００へ向けて送信する。
【００３３】
また、記録制御部４３２は、放送番組データの記録のための処理の中断を検出する。記録制御部４３２は、当該処理の中断を検出すると、記録中断情報ＳＰＮを生成する。そして、記録制御部４３２は、無線通信ユニット４２５を介して、当該情報を放送番組記録装置５００へ向けて送信する。なお、この記録中断情報ＳＰＮには、放送番組データの記録終了位置、処理が中断した時の情報処理装置３００に内蔵された記録媒体の放送番組データにおける記録中断位置情報等が含まれている。
【００３４】
また、記録制御部４３２は、無線通信ユニット４２５を介して、放送番組記録装置５００からの記録中断情報ＳＰＨを受けると、当該情報に含まれる放送番組データの記録終了位置、処理が中断した時の情報処理装置３００に内蔵された記録媒体の放送番組データにおける記録中断位置情報を保持する。そして、記録制御部４３２は、情報処理装置３００がナビゲーション本体部４００に装着されたことを検出すると、放送番組データの記録終了位置に対応する一時記録部４３１のメモリのアドレス情報及び前述した記録媒体の放送番組データにおける記録中断位置情報を含む読出指令ＰＴＲを生成し、当該指令を読出部４３３へ送る。
【００３５】
また、記録制御部４３２は、無線通信ユニット４２５を介して放送番組記録装置５００からの応答要求ＰＯＬを受けると、応答報告ＲＰＳを、無線通信ユニット４２５を介して放送番組記録装置５００へ向けて送信する。
【００３６】
上記の読出部４３３は、記録制御部４３２からの読出指令ＰＴＲを受けると、一時記録部４３１にアクセスする。そして、読出部４３３は、読出指令ＰＴＲに含まれる一時記録部４３１のメモリのアドレスを読み出しポインタに指定して、一時記録部４３１に記録されている放送番組データを、順次、読出用放送番組データＴＮＲとして読み出す。この後、読出部４３３は、ＢＩＦ４８０を介して当該データを放送番組データＢＮＷとして情報処理装置３００へ送り、前述した記録媒体の放送番組データにおける記録中断位置情報に基づき、記録媒体への記録のための処理を行う。
【００３７】
図２に戻り、上記の操作入力ユニット４４０は、ナビゲーション本体部４００に設けられたキー部、及び／又はキー部を備えるリモート入力装置等により構成される。ここで、ナビゲーション本体部４００に設けられたキー部としては、表示ユニット４６０の表示デバイスに設けられたタッチパネルを用いることができる。なお、キー部を有する構成に代えて、又は併用して音声認識技術を利用して音声にて入力する構成を採用することもできる。
【００３８】
この操作入力ユニット４４０を利用者が操作することにより、ナビゲーション装置２００の動作内容の設定が行われる。例えば、放送番組に関する記録及び記録予約の設定、ナビゲーション処理に関する目的地の設定等を、利用者が操作入力ユニット４４０を利用して行う。こうした入力内容のうち、放送番組に関する記録及び記録予約の設定については、操作入力データＩＰＤとして、放送番組データ記録処理部４３０へ送られる。また、ナビゲーション処理に関する目的地の設定等については、操作入力データＩＰＤとして、ＢＩＦ４８０を介して情報処理装置３００へ向けて送られる。
【００３９】
上記の音出力ユニット４５０は、例えば、（ｉ）ＢＩＦ４８０を介して、情報処理装置３００から受信した音声データＡＯＤをアナログ信号に変換するＤＡ変換器（Digital to Analog Converter）と、（ii）当該ＤＡ変換器から出力されたアナログ信号を増幅する増幅器と、（iii）増幅されたアナログ信号を音声に変換するスピーカとを備えて構成されている。この音出力ユニット４５０は、情報処理装置３００による制御のもとで、記録された放送番組における音声を出力する。また、この音出力ユニット４５０は、ナビゲーション処理に関する車両の進行方向、走行状況、交通状況等の案内音声を出力する。
【００４０】
上記の表示ユニット４６０は、例えば、（ｉ）液晶パネル、有機ＥＬ（Electro Luminescence）パネル、ＰＤＰ（Plasma Display Panel）等の表示デバイスと、（ii）情報処理装置３００から送出された表示制御データに基づいて、表示ユニット４６０全体の制御を行うグラフィックレンダラ等の表示コントローラと、（iii）表示画像データを記憶する表示画像メモリ等を備えて構成されている。この表示ユニット４６０は、情報処理装置３００からの表示データＩＭＤに従って、記録された放送番組における映像を表示する。また、この表示ユニット４６０は、ナビゲーション処理に際して、地図情報、ルート情報等のナビゲーション画像、ガイダンス情報等を表示する。
【００４１】
上記のナビゲーションデータ取得ユニット４７０は、本実施形態では、不図示の走行センサインターフェイス部と、ＧＰＳ（Global Positioning System）受信ユニットとを備えている。
【００４２】
走行センサインターフェイス部は、情報処理装置３００と車両ＣＲに搭載された走行センサユニット４９０との間におけるデータ授受に関して利用される。ここで、走行センサユニット４９０は、本実施形態では一例として、（ｉ）車両の移動速度を検出する車速センサと、（ii）車両に作用している加速度を検出する加速度センサと、（iii）車両の角速度を検出する角速度センサとを備えている。ここで、車速センサは、車軸や車輪の回転により出力されるパルス信号を検出する。また、加速度センサは、例えば、３次元方向の加速度を検出する。また、角速度センサは、例えば、いわゆるジャイロセンサとして構成され、角速度を検出する。これらの検出結果は、検出信号ＤＴＳとして走行センサインターフェイス部へ送られる。この検出信号ＤＴＳを受けた走行センサインターフェイス部は、走行センサユニット４９０による検出結果を、走行センサデータＤＴＤとして情報処理装置３００へ向けて送る。
【００４３】
ＧＰＳ受信ユニットは、複数のＧＰＳ衛星からの電波の受信結果に基づいて、車両ＣＲの現在位置の擬似座標値を算出する。また、ＧＰＳ受信ユニットは、ＧＰＳ衛星から送出された時刻情報に基づいて、現在時刻を計時する。これらの現在位置および現在時刻に関する情報は、ＧＰＳデータＧＰＤとして情報処理装置３００へ送られる。
【００４４】
上記のＢＩＦ４８０は、ナビゲーション本体部４００に情報処理装置３００が装着された状態で、ナビゲーション本体部４００と情報処理装置３００との間におけるデータ授受に際して利用される。このＢＩＦ４８０は、情報処理装置３００との間で、ナビゲーション通信データＮＣＤのやり取りを行う。
【００４５】
次に、上記の放送番組記録装置５００について説明する。この放送番組記録装置５００は、図４に示されるように、アンテナ５１０と、放送信号処理ユニット５１５と、アンテナ５２０と、短距離無線通信手段としての無線通信ユニット５２５と、入力ユニット５３０とを備えている。また、放送番組記録装置５００は、一時記録手段としての一時記録部５４０と、記録処理状況送信手段、中断検出手段、記録中断情報送信手段、一時記録制御手段、保持手段としての記録制御部５５０と、記録処理手段としての読出部５６０とを備えている。さらに、放送番組記録装置５００は、情報処理装置インターフェイス（ＢＩＦ）５７０を備えている。
【００４６】
上記のアンテナ５１０は、放送波を受信する。このアンテナ５１０による受信結果は、受信信号ＲＦＨとして、放送信号処理ユニット５１５へ向けて出力される。
【００４７】
上記の放送信号処理ユニット５１５は、ナビゲーション本体部４００を構成する放送信号処理ユニット４１５と同様に、不図示のチューナ部と、復調部と、デコード部とを備えて構成されている。
【００４８】
チューナ部は、アンテナ５１０からの受信信号ＲＦＨを受ける。そして、チューナ部は、記録制御部５５０からの選局指令ＣＳＨに従って、選局すべきチャンネルの信号を受信信号ＲＦＨから抽出し、中間周波数を有する選局信号を復調部へ向けて出力する。復調部は、選局信号に対して復調処理を施して、その結果を復調データとして、デコード部へ向けて出力する。デコード部は、コード化された復調データをデコードし、復号データＤＣＨを生成する。こうして生成された復号データＤＣＨは、記録制御部５５０へ向けて出力される。
【００４９】
上記のアンテナ５２０は、ナビゲーション本体部４００からの無線信号を受信するとともに、ナビゲーション本体部４００へ向けて無線信号を送信する。アンテナ５２０による受信結果は、無線通信ユニット５２５へ向けて出力される。また、アンテナ５２０は、無線通信ユニット５２５からの送信信号を受けて、当該送信信号に対応する無線信号を、ナビゲーション本体部４００へ向けて送信する。
【００５０】
上記の無線通信ユニット５２５は、アンテナ５２０から受信した受信信号を処理して、記録制御部５５０及びＢＩＦ５７０で処理可能なデジタルデータ信号に変換する。また、無線通信ユニット５２５は、記録制御部５５０又はＢＩＦ５７０からの送信信号を処理して、ナビゲーション本体部４００へ送信する無線信号に対応する信号に変換し、アンテナ５２０へ送る。
【００５１】
上記の入力ユニット５３０は、放送番組記録装置５００の本体部に設けられたキー部、及び／又はキー部を備えるリモート入力装置等により構成される。なお、キー部を有する構成に代えて、又は併用して音声認識技術を利用して音声にて入力する構成を採用することもできる。
【００５２】
この入力ユニット５３０を利用者が操作することにより、放送番組記録装置５００の動作内容の設定が行われる。例えば、放送番組に関する記録予約の設定等を、利用者が入力ユニット５３０を利用して行う。こうした入力内容は、操作入力データＩＰＨとして、入力ユニット５３０から記録制御部５５０へ向けて送られる。
【００５３】
上記の一時記録部５４０は、記録制御部５５０から送られてくる記録用放送番組データＴＨＷを一時記録する。この一時記録部５４０は、上述したナビゲーション本体部４００を構成する一時記録部４３１と同様に、構成されている。
【００５４】
上記の記録制御部５５０は、入力ユニット５３０からの指令、又は、無線通信ユニット５２５を介したナビゲーション本体部４００からの指令に基づいて、放送信号処理ユニット５１５を制御するとともに、希望局に対応する放送番組の音声及び映像の記録処理を制御する。
【００５５】
具体的には、記録制御部５５０は、入力ユニット５３０に入力された選局指定を含む放送番組の記録指令を操作入力データＩＰＨとして受けると、当該選局指定に従って再生チャンネルの選局指令ＣＳＨを生成し、放送信号処理ユニット５１５へ向けて出力する。そして、記録制御部５５０は、放送信号処理ユニット５１５から送られてくる複号データＤＣＨの記録処理を開始する。
【００５６】
一方、記録制御部５５０は、無線通信ユニット５２５を介して、ナビゲーション本体部４００からの記録処理状況情報ＲＩＮを受けると、当該情報に含まれる選局指定に従って再生チャンネルの選局指令ＣＳＨを生成し、放送信号処理ユニット５１５へ向けて出力する。そして、記録制御部５５０は、放送信号処理ユニット５１５から送られてくる複号データＤＣＨの記録処理を開始する。
【００５７】
この記録処理に際して、記録制御部５５０は、複号データＤＣＨから記録用放送番組データＴＨＷを生成する。そして、記録制御部５５０は、一時記録部５４０にアクセスし、当該記録用放送番組データＴＨＷの書き込みを行う。
【００５８】
記録制御部５５０は、ナビゲーション本体部４００からの記録処理状況情報ＲＩＮ及び後述する記録中断情報ＳＰＮを受けていない場合においては、この記録用放送番組データＴＨＷの書き込み開始時に、書き込み開始時の一時記録部５４０のメモリのアドレス情報を含む読出指令ＰＴＲを生成し、読出部５６０へ送る。なお、ナビゲーション本体部４００からの記録処理状況情報ＲＩＮ及び後述する記録中断情報ＳＰＮを受けた場合の動作については、後述する。
【００５９】
また、記録制御部５５０は、ＢＩＦ５７０を介して情報処理装置３００からの離脱予兆検出報告ＬＤＨを受けると、選局指定等の記録中番組情報を含む記録処理状況情報ＲＩＨを生成する。そして、記録制御部５５０は、無線通信ユニット５２５を介して、当該記録処理状況情報ＲＩＨをナビゲーション本体部４００へ向けて送信する。
【００６０】
また、記録制御部５５０は、放送番組データの記録のための処理の中断を検出する。記録制御部５５０は、当該処理の中断を検出すると、記録中断情報ＳＰＨを生成する。そして、記録制御部５５０は、無線通信ユニット５２５を介して、当該情報をナビゲーション本体部４００へ向けて送信する。なお、この記録中断情報ＳＰＨには、放送番組データの記録終了位置、処理が中断した時の情報処理装置３００に内蔵された記録媒体の放送番組データにおける記録中断位置情報等が含まれている。
【００６１】
また、記録制御部５５０は、無線通信ユニット５２５を介して、ナビゲーション本体部４００からの記録中断情報ＳＰＮを受けると、当該情報に含まれる放送番組データの記録終了位置、処理が中断した時の情報処理装置３００に内蔵された記録媒体の放送番組データにおける記録中断位置情報を保持する。そして、記録制御部５５０は、情報処理装置３００が放送番組記録装置５００に装着されたことを検出すると、放送番組データの記録終了位置に対応する一時記録部５４０のメモリのアドレス情報及び前述した記録媒体の放送番組データにおける記録中断位置情報を含む読出指令ＰＴＲを生成し、当該指令を読出部５６０へ送る。
【００６２】
上記の読出部５６０は、記録制御部５５０からの読出指令ＰＴＲを受けると、一時記録部５４０にアクセスする。そして、読出部５６０は、読出指令ＰＴＲに含まれる一時記録部５４０のメモリのアドレスを読み出しポインタに指定して、一時記録部５４０に記録されている放送番組データを、順次、読出用放送番組データＴＨＲとして読み出す。この後、読出部５６０は、ＢＩＦ５７０を介して当該データを放送番組データＢＨＷとして情報処理装置３００へ送り、前述した記録媒体の放送番組データにおける記録中断位置情報に基づき、記録媒体への記録のための処理を行う。
【００６３】
上記のＢＩＦ５７０は、放送番組記録装置５００に情報処理装置３００が装着された状態で、放送番組記録装置５００と情報処理装置３００との間におけるデータ授受に際して利用される。このＢＩＦ５７０は、情報処理装置３００との間で、ホーム通信データＨＣＤのやり取りを行う。
【００６４】
次に、上記の情報処理装置３００について説明する。この情報処理装置３００は、図５に示されるように、制御ユニット３１０と、記憶手段としての記憶装置３２０とを備えている。また、情報処理装置３００は、ナビゲーションインターフェイス（ＮＩＦ）３５０と、記録装置インターフェイス（ＨＩＦ）３６０とを備えている。
【００６５】
上記の制御ユニット３１０は、情報処理装置３００の全体を統括制御する。この制御ユニット３１０の詳細については、後述する。
【００６６】
上記の記憶装置３２０は、不揮発性の記憶装置であるハードディスク装置等から構成される。記憶装置３２０内には、記憶領域として、ナビゲーション情報記憶領域３２１、放送番組データ記憶領域３２２などが存在する。
【００６７】
上記のナビゲーション情報記憶領域３２１には、自宅位置登録データ、道路データ、道路ネットワークデータ、背景データ等のナビゲーションのために利用される様々のデータが記憶されている。これらのデータは、ナビゲーション情報ＮＶＩとして制御ユニット３１０からの制御により、読み出される。
【００６８】
なお、本実施形態では、自宅位置登録データには、放送番組記録装置５００が設置されている家屋ＨＭの位置が登録されている。
【００６９】
上記の放送番組データ記憶領域３２２には、放送番組に関する音声・映像データが記録され、制御ユニット３１０からの制御によりアクセスされ、読み出し／書き込みが可能になっている。
【００７０】
上記のＮＩＦ３５０は、情報処理装置３００がナビゲーション本体部４００と接続された状態で、制御ユニット３１０とナビゲーション本体部４００との間におけるデータ授受に際して利用される。このＮＩＦ３５０は、ナビゲーション本体部４００との間で、ナビゲーション通信データＮＣＤのやり取りを行う。
【００７１】
上記のＨＩＦ３６０は、情報処理装置３００が放送番組記録装置５００と接続された状態で、制御ユニット３１０と放送番組記録装置５００との間におけるデータ授受に際して利用される。このＨＩＦ３６０は、放送番組記録装置５００との間で、ホーム通信データＨＣＤのやり取りを行う。
【００７２】
次に、制御ユニット３１０について説明する。この制御ユニット３１０は、ナビゲーション処理部３３０と、放送番組データ処理部３４０とを備えている。
【００７３】
上記のナビゲーション処理部３３０は、上述したナビゲーション情報記憶領域３２１，４４０〜４７０を利用して、利用者にナビゲーション情報を提供する。例えば、ナビゲーション処理に対する操作入力ユニット４４０からの入力結果に沿って、走行センサインターフェイス部を介して得られた走行センサデータＤＴＤ及びＧＰＳ受信ユニットからの出力であるＧＰＳデータＧＰＤを利用して、必要なナビゲーション利用情報ＮＶＩを適宜読み出す。
【００７４】
そして、ナビゲーション処理部３３０は、（ａ）利用者が指定する地域の地図を表示ユニット４６０の表示デバイスに表示するための地図表示、（ｂ）車両が地図上のどこに位置するのか、また、どの方角に向かっているのかを算出し、表示ユニット４６０の表示デバイスに表示して利用者に提示するマップマッチング、（ｃ）現在車両が存在する位置から、利用者が指定する任意の位置である目的地点までの最適ルート検索、（ｄ）設定されたルートに沿って目的地まで運転するときに、目的地への到達予想時刻や、進行すべき方向を的確にアドバイスするために行われる、表示ユニット４６０の表示デバイスへの案内表示のための制御、及び、音出力ユニット４５０のスピーカから音声案内を出力するための制御等を行う。
【００７５】
かかる機能を有するナビゲーション処理部３３０は、ナビゲーション情報記憶領域３２１にアクセスして自宅位置登録データを読み出し、当該データを自宅位置情報ＬＯＣとして放送番組データ処理部３４０へ向けて送る。また、ナビゲーション処理部３３０は、所定時間ごとに車両ＣＲの現在位置を取得し、車両位置情報ＰＯＳとして放送番組データ処理部３４０へ向けて送る。
【００７６】
上記の放送番組データ処理部３４０は、図６に示されるように、記録処理部３４１と、離脱予兆検出手段としての離脱予兆検出部３４２と、再生処理部３４３とを備えている。
【００７７】
上記の記録処理部３４１は、ＮＩＦ３５０を介してナビゲーション本体部４００からの放送番組データＢＮＷを受けると、放送番組データ記憶領域３２２にアクセスして、当該データを記録用放送番組データＢＲＷとして書き込む。
【００７８】
また、記録処理部３４１は、ＨＩＦ３６０を介して放送番組記録装置５００からの放送番組データＢＨＷを受けると、放送番組データ記憶領域３２２にアクセスして、当該データを記録用放送番組データＢＲＷとして書き込む。
【００７９】
また、記録処理部３４１は、記録処理部３４１において記録のための処理が行われている場合において、処理中報告ＲＣＤを離脱予兆検出部３４２へ向けて送る。
【００８０】
また、記録処理部３４１は、ＮＩＦ３５０を介して放送番組の再生指令を操作入力データＩＰＤとして受けると、再生処理部３４３へ向けて再生指令ＰＬＣを発行する。
【００８１】
上記の離脱予兆検出部３４２は、情報処理装置３００がナビゲーション本体部４００に装着されている場合において、情報処理装置３００のナビゲーション本体部４００からの離脱の予兆を検出する。
【００８２】
本実施形態では、車両ＣＲ走行中に、情報処理装置３００をナビゲーション本体部４００に装着して放送番組データの記録処理を行っている場合において、車両ＣＲが家屋ＨＭに到着すると、利用者は、情報処理装置３００をナビゲーション本体部４００から取り外し、その後に、情報処理装置３００を放送番組記録装置５００に装着することを想定している。このため、本実施形態では、車両ＣＲが家屋ＨＭ付近に到達したことを、情報処理装置３００の離脱の予兆としている。
【００８３】
具体的には、この離脱予兆検出部３４２は、ナビゲーション処理部３３０から固定値である自宅位置情報ＬＯＣを受けるとともに、車両ＣＲの移動に伴って変化する車両位置情報ＰＯＳを所定時間ごとに受ける。また、離脱予兆検出部３４２は、情報処理装置３００がナビゲーション本体部４００又は放送番組記録装置５００に装着されて、記録のための処理が行われている場合に、記録処理部３４１から処理中報告ＲＣＤを受ける。
【００８４】
離脱予兆検出部３４２は、情報処理装置３００がナビゲーション本体部４００に装着されており、かつ、記録処理部３４１からの処理中報告ＲＣＤを受けている間においては、車両位置情報ＰＯＳと自宅位置情報ＬＯＣとを利用して、ナビゲーション本体部４００と放送番組記録装置５００の距離が所定距離範囲内に入ったか否かを判定する。そして、離脱予兆検出部３４２は、当該距離が所定距離範囲内に入ったと判定した場合は、ナビゲーション本体部４００からの情報処理装置３００の離脱の予兆があったと認定する。
【００８５】
なお、上述した所定距離は、ナビゲーション本体部４００と放送番組記録装置５００との間で短距離無線通信が可能な距離であり、家屋ＨＭから駐車場までの距離、一時記録部４３１の記憶容量等を考慮して、実験、シミュレーション、経験等に基づいて、予め定められる。
【００８６】
離脱予兆検出部３４２は、ナビゲーション本体部４００からの情報処理装置３００の離脱の予兆を検出すると、離脱予兆検出報告ＬＤＮを生成し、ＮＩＦ３５０を介してナビゲーション本体部４００へ送る。
【００８７】
また、離脱予兆検出部３４２は、情報処理装置３００が放送番組記録装置５００に装着されている場合において、情報処理装置３００の放送番組記録装置５００からの離脱の予兆を検出する。
【００８８】
本実施形態では、家屋ＨＭで、情報処理装置３００を放送番組記録装置５００に装着して放送番組データの記録処理を行っている場合において、車両ＣＲのエンジンを始動してナビゲーション本体部４００に電力を投入してから情報処理装置３００を取り外し、その後に、情報処理装置３００をナビゲーション本体部４００に装着することを想定している。このため、本実施形態では、ナビゲーション本体部４００と放送番組記録装置５００との間で、通信が可能になったことを、情報処理装置３００の離脱の予兆としている。
【００８９】
具体的には、離脱予兆検出部３４２は、情報処理装置３００が放送番組記録装置５００に装着されており、かつ、記録処理部３４１からの処理中報告ＲＣＤを受けている場合においては、ＨＩＦ３６０、放送番組記録装置５００を介して、応答要求ＰＯＬをナビゲーション本体部４００へ送る。そして、離脱予兆検出部３４２は、当該要求に対する応答報告ＲＰＳをナビゲーション本体部４００から受けたならば、放送番組記録装置５００からの情報処理装置３００の離脱の予兆があったと認定する。
【００９０】
離脱予兆検出部３４２は、放送番組記録装置５００からの情報処理装置３００の離脱の予兆を検出すると、離脱予兆検出報告ＬＤＨを生成し、ＨＩＦ３６０を介して放送番組記録装置５００へ送る。
【００９１】
上記の再生処理部３４３は、記録処理部３４１からの再生指令ＰＬＣに従い、放送番組データ記憶領域３２２にアクセスして、放送番組データを読出用放送番組データＢＲＲとして読み出す。そして、再生処理部３４３は、読出用放送番組データＢＲＲに基づいて、音声データＡＯＤと表示データＩＭＤとを生成する。こうして生成された音声データＡＯＤと表示データＩＭＤは、それぞれ、ＮＩＦ３５０を介して、音出力ユニット４５０と表示ユニット４６０へ向けて出力される。
【００９２】
［動作］
以上のようにして構成された放送番組記録システム１００の動作について、放送番組データの記録処理に主に着目して説明する。
【００９３】
なお、以下の説明においては、当初に情報処理装置３００がナビゲーション本体部４００に装着され、その後に情報処理装置３００が放送番組記録装置５００に装着された場合の記録処理と、当初に情報処理装置３００が放送番組記録装置５００に装着され、その後に情報処理装置３００がナビゲーション本体部４００に装着された場合の記録処理とに分けて説明する。
【００９４】
＜当初に情報処理装置３００がナビゲーション本体部４００に装着されている場合＞
まず、当初に情報処理装置３００がナビゲーション本体部４００に装着された第１複合装置において記録処理を行い、その後に情報処理装置３００がナビゲーション本体部４００から取り外され、情報処理装置３００が放送番組記録装置５００に装着される場合の放送番組データの記録処理について説明する。この記録処理は、情報処理装置３００、ナビゲーション本体部４００、放送番組記録装置５００によって、相互に連係しながら行われる。
【００９５】
≪第１複合装置における処理≫
第１複合装置における放送番組データの記録処理は、図７に示されるように、ステップＳ１１において、利用者が操作入力ユニット４４０を利用して、放送番組データの記録指令を入力することにより開始する。
【００９６】
こうして記録指令が第１複合装置に入力されると、ナビゲーション本体部４００の記録制御部４３２が、放送信号処理ユニット４１５から送られてくる復号データＤＣＤの記録処理を開始する（図３参照）。この記録処理に際し、記録制御部４３２は、復号データＤＣＤから記録用放送番組データＴＮＷを生成する。そして、記録制御部４３２は、一時記録部４３１にアクセスし、当該記録用放送番組データＴＮＷの書き込みを行う。また、記録制御部４３２は、この記録用放送番組データＴＮＷの書き込み開始時に、書き込み開始時の一時記録部４３１のメモリのアドレス情報を含む読出指令ＰＴＲを生成し、読出部４３３へ送る。
【００９７】
読出部４３３は、記録制御部４３２からの読出指令ＰＴＲを受けると、一時記録部４３１にアクセスし、読出指令ＰＴＲに含まれる一時記録部４３１のメモリのアドレスを読み出しポインタに指定して、一時記録部４３１に記録されている放送番組データを読出用放送番組データＴＮＲとして読み出す。この後、読出部４３３は、ＢＩＦ４８０を介して当該データを放送番組データＢＮＷとして情報処理装置３００へ送り、情報処理装置３００の記録媒体への記録のための処理を行う。この結果、情報処理装置３００の放送番組データ記憶領域３２２に、順次、記録用放送番組データＢＲＷが書き込まれる。
【００９８】
この放送番組データの記録処理と並行して、ステップＳ１２において、記録制御部４３２が、ＢＩＦ４８０を介して情報処理装置３００からの離脱予兆検出報告ＬＤＮを受けたか否かを判定する。この離脱予兆検出報告ＬＤＮは、ナビゲーション本体部４００と放送番組記録装置５００との距離が所定距離範囲内に入ったときに、情報処理装置３００から報告される。
【００９９】
このステップＳ１２における判定の結果が否定的であった場合（ステップＳ１２：Ｎ）には、ステップＳ１２の処理が繰り返される。
【０１００】
一方、ステップＳ１２における判定の結果が肯定的になると（ステップＳ１２：Ｙ）、処理はステップＳ１３へ進む。ステップＳ１３では、情報処理装置３００からの離脱予兆検出報告ＬＤＮを受けた記録制御部４３２が、選局指定等の記録中番組情報を含む記録処理状況情報ＲＩＮを生成する。そして、記録制御部４３２は、無線通信ユニット４２５を介して、当該情報を放送番組記録装置５００へ向けて送信する。この後、処理はステップＳ１４へ進む。
【０１０１】
ステップＳ１４では、記録制御部４３２が、放送番組データの記録のための処理の中断を検出したか否かを判定する。この判定の結果が否定的であった場合（ステップＳ１４：Ｎ）には、ステップＳ１４の処理が繰り返される。
【０１０２】
一方、ステップＳ１４における判定の結果が肯定的になると（ステップＳ１４：Ｙ）、処理はステップＳ１５へ進む。ステップＳ１５では、記録制御部４３２が、記録中断情報ＳＰＮを生成し、無線通信ユニット４２５を介して、当該情報を放送番組記録装置５００へ向けて送信する。
【０１０３】
こうして記録中断情報ＳＰＮの送信が完了すると、第１複合装置における放送番組データの記録処理が終了する。この後、情報処理装置３００は、ナビゲーション本体部４００から取り外され、放送番組記録装置５００に装着される（以降の処理は、後述する図８におけるステップＳ２４以降の処理となる）。
【０１０４】
≪放送番組記録装置５００における処理≫
放送番組記録装置５００における放送番組データの記録処理は、まず、図８に示されるように、ステップＳ２１において、放送番組記録装置５００の記録制御部５５０が、無線通信ユニット５２５を介してナビゲーション本体部４００からの記録処理状況情報ＲＩＮを受けたか否かを判定する。この判定の結果が否定的であった場合（ステップＳ２１：Ｎ）には、ステップＳ２１の処理が繰り返される。
【０１０５】
一方、ステップＳ２１における判定の結果が肯定的になると（ステップＳ２１：Ｙ）、処理はステップＳ２２へ進む。ステップＳ２２では、記録制御部５５０が、記録処理状況情報ＲＩＮに含まれる選局指定に従って再生チャンネルの選局指令ＣＳＨを生成し、放送信号処理ユニット５１５へ向けて出力する。そして、記録制御部５５０は、放送信号処理ユニット５１５から送られてくる複号データＤＣＨの記録処理を開始する（図４参照）。この記録処理に際して、記録制御部５５０は、複号データＤＣＨから記録用放送番組データＴＨＷを生成する。そして、記録制御部５５０は、一時記録部５４０にアクセスし、当該記録用放送番組データＴＨＷの書き込みを行う。
【０１０６】
次いで、ステップＳ２３において、記録制御部５５０が、無線通信ユニット５２５を介してナビゲーション本体部４００からの記録中断情報ＳＰＮを受けたか否かを判定する。この判定の結果が否定的であった場合（ステップＳ２３：Ｎ）には、ステップＳ２３の処理が繰り返される。
【０１０７】
一方、ステップＳ２３における判定の結果が肯定的になると（ステップＳ２３：Ｙ）、処理はステップ２４へ進む。
【０１０８】
ステップＳ２４では、記録制御部５５０が、情報処理装置３００が放送番組記録装置５００に装着されたか否かを判定する。この判定の結果が否定的であった場合（ステップＳ２４：Ｎ）には、ステップＳ２４の処理が繰り返される。
【０１０９】
一方、ステップＳ２４における判定の結果が肯定的になると（ステップＳ２４：Ｙ）、処理はステップＳ２５へ進む。ステップＳ２５では、記録制御部５５０が、記録中断情報ＳＰＮに記された情報に基づき、放送番組データの記録終了位置に対応する一時記録部５４０のメモリのアドレス情報及び前述した記録媒体の放送番組データにおける記録中断位置情報を含む読出指令ＰＴＲを生成する。そして、記録制御部５５０は、当該指令を読出部５６０へ送る。
【０１１０】
読出部５６０は、記録制御部５５０からの読出指令ＰＴＲを受けると、一時記録部５４０にアクセスする。そして、読出部５６０は、読出指令ＰＴＲに含まれる一時記録部５４０のメモリのアドレスを読み出しポインタに指定して、一時記録部５４０に記録されている放送番組データを、順次、読出用放送番組データＴＨＲとして読み出す。この後、読出部５６０は、ＢＩＦ５７０を介して当該データを放送番組データＢＨＷとして情報処理装置３００へ送り、前述した記録媒体の放送番組データにおける記録中断位置情報に基づき、記録媒体への記録のための処理を行う。この結果、情報処理装置３００の放送番組データ記憶領域３２２に、順次、記録終了位置からの記録用放送番組データＢＲＷが書き込まれる。
【０１１１】
この放送番組データの記録処理と並行して、ステップＳ２６において、記録制御部５５０が、入力ユニット５３０を利用して入力された放送番組データの記録停止指令を受けたか否かを判定する。この判定の結果が否定的であった場合（ステップＳ２６：Ｎ）には、ステップＳ２６の処理が繰り返される。
【０１１２】
一方、ステップＳ２６における判定の結果が肯定的になると（ステップＳ２６：Ｙ）、放送番組記録装置５００における放送番組データの記録処理が終了する。
【０１１３】
＜当初に情報処理装置３００が放送番組記録装置５００に装着されている場合＞
次に、当初に情報処理装置３００が放送番組記録装置５００に装着された第２複合装置において記録処理を行い、その後に情報処理装置３００が放送番組記録装置５００から取り外され、情報処理装置３００がナビゲーション本体部４００に装着される場合の放送番組データの記録処理について説明する。この記録処理も、情報処理装置３００、ナビゲーション本体部４００、放送番組記録装置５００によって、相互に連係しながら行われる。
【０１１４】
≪第２複合装置における処理≫
第２複合装置における放送番組データの記録処理は、図９に示されるように、ステップＳ３１において、利用者が入力ユニット５３０を利用して、放送番組データの記録指令を入力することにより開始する。
【０１１５】
こうして記録指令が入力されると、放送番組記録装置５００の記録制御部５５０が、放送信号処理ユニット５１５から送られてくる復号データＤＣＨの記録処理を開始する（図４参照）。この記録処理に際し、記録制御部５５０は、復号データＤＣＨから記録用放送番組データＴＨＷを生成し、一時記録部５４０にアクセスして当該データの書き込みを行う。また、記録制御部５５０は、この記録用放送番組データＴＨＷの書き込み開始時に、書き込み開始時の一時記録部５４０のメモリのアドレス情報を含む読出指令ＰＴＲを生成し、読出部５６０へ送る。
【０１１６】
読出部５６０は、記録制御部５５０からの読出指令ＰＴＲを受けると、一時記録部５４０にアクセスし、読出指令ＰＴＲに含まれる一時記録部５４０のメモリのアドレスを読み出しポインタに指定して、一時記録部５４０に記録されている放送番組データを読出用放送番組データＴＨＲとして読み出す。この後、読出部５６０は、ＢＩＦ５７０を介して当該データを放送番組データＢＨＷとして情報処理装置３００へ送り、情報処理装置３００の記録媒体への記録のための処理を行う。この結果、情報処理装置３００の放送番組データ記憶領域３２２に、順次、記録用放送番組データＢＲＷが書き込まれる。
【０１１７】
この記録処理と並行して、ステップＳ３２において、記録制御部５５０が、ＢＩＦ５７０を介して情報処理装置３００からの離脱予兆検出報告ＬＤＨを受けたか否かを判定する。この離脱予兆検出報告ＬＤＨは、ナビゲーション本体部４００と放送番組記録装置５００とが通信可能となったときに、情報処理装置３００から報告される。
【０１１８】
このステップＳ３２における判定の結果が否定的であった場合（ステップＳ３２：Ｎ）には、ステップＳ３２の処理が繰り返される。
【０１１９】
一方、ステップＳ３２における判定の結果が肯定的になると（ステップＳ３２：Ｙ）、処理はステップＳ３３へ進む。ステップＳ３３では、情報処理装置３００からの離脱予兆検出報告ＬＤＨを受けた記録制御部５５０が、選局指定等の記録中番組情報を含む記録処理状況情報ＲＩＨを生成する。そして、記録制御部５５０は、無線通信ユニット５２５を介して、当該情報をナビゲーション本体部４００へ向けて送信する。この後、処理はステップＳ３４へ進む。
【０１２０】
ステップＳ３４では、記録制御部５５０が、放送番組データの記録のための処理の中断を検出したか否かを判定する。この判定の結果が否定的であった場合（ステップＳ３４：Ｎ）には、ステップＳ３４の処理が繰り返される。
【０１２１】
一方、ステップＳ３４における判定の結果が肯定的になると（ステップＳ３４：Ｙ）、処理はステップＳ３５へ進む。ステップＳ３５では、記録制御部５５０が、記録中断情報ＳＰＨを生成し、無線通信ユニット５２５を介して、当該情報をナビゲーション本体部４００へ向けて送信する。
【０１２２】
こうして記録中断情報ＳＰＨの送信が完了すると、第２複合装置における放送番組データの記録処理が終了する。この後、情報処理装置３００は、放送番組記録装置５００から取り外され、ナビゲーション本体部４００に装着される（以降の処理は、後述する図１０におけるステップＳ４４以降の処理となる）。
【０１２３】
≪ナビゲーション本体部４００における処理≫
ナビゲーション本体部４００における放送番組データの記録処理は、図１０に示されるように、ステップＳ４１において、ナビゲーション本体部４００の記録制御部４３２が、無線通信ユニット４２５を介して放送番組記録装置５００からの記録処理状況情報ＲＩＨを受けたか否かを判定する。この判定の結果が否定的であった場合（ステップＳ４１：Ｎ）には、ステップＳ４１の処理が繰り返される。
【０１２４】
一方、ステップＳ４１における判定の結果が肯定的になると（ステップＳ４１：Ｙ）、処理はステップ４２へ進む。ステップＳ４２では、記録制御部４３２が、記録処理状況情報ＲＩＨに含まれる選局指定に従って再生チャンネルの選局指令ＣＳＬを生成し、放送信号処理ユニット４１５へ向けて出力する。そして、記録制御部４３２は、放送信号処理ユニット４１５から送られてくる複号データＤＣＤの記録処理を開始する（図３参照）。この記録処理に際して、記録制御部４３２は、複号データＤＣＤから記録用放送番組データＴＮＷを生成する。そして、記録制御部４３２は、一時記録部４３１にアクセスし、当該記録用放送番組データの書き込みを行う。
【０１２５】
次いで、ステップＳ４３において、記録制御部４３２が、無線通信ユニット４２５を介して放送番組記録装置５００からの記録中断情報ＳＰＨを受けたか否かを判定する。この判定の結果が否定的であった場合（ステップＳ４３：Ｎ）には、ステップＳ４３の処理が繰り返される。
【０１２６】
一方、ステップＳ４３における判定の結果が肯定的になると（ステップＳ４３：Ｙ）、処理はステップ４４へ進む。
【０１２７】
ステップＳ４４では、記録制御部４３２が、情報処理装置３００がナビゲーション本体部４００に装着されたか否かを判定する。この判定の結果が否定的であった場合（ステップＳ４４：Ｎ）には、ステップＳ４４の処理が繰り返される。
【０１２８】
一方、ステップＳ４４における判定の結果が肯定的になると（ステップＳ４４：Ｙ）、処理はステップＳ４５へ進む。ステップＳ４５では、記録制御部４３２が、記録中断情報ＳＰＨに記された情報に基づき、放送番組データの記録終了位置に対応する一時記録部４３１のメモリのアドレス情報及び前述した記録媒体の放送番組データにおける記録中断位置情報を含む読出指令ＰＴＲを生成する。そして、記録制御部４３２は、当該指令を読出部４３３へ送る。
【０１２９】
読出部４３３は、読出指令ＰＴＲを受けると一時記録部４３１にアクセスする。そして、読出部４３３は、読出指令ＰＴＲに含まれる一時記録部４３１のメモリのアドレスを読み出しポインタに指定して、一時記録部４３１に記録されている放送番組データを、順次、読出用放送番組データＴＮＲとして読み出す。この後、読出部４３３は、ＢＩＦ４８０を介して当該データを放送番組データＢＮＷとして情報処理装置３００へ送り、前述した記録媒体の放送番組データにおける記録中断位置情報に基づき、記録媒体への記録のための処理を行う。この結果、情報処理装置３００の放送番組データ記憶領域３２２に、順次、記録終了位置からの記録用放送番組データＢＲＷが書き込まれる。
【０１３０】
この放送番組データの記録処理と並行して、ステップＳ４６において、記録制御部４３２が、操作入力ユニット４４０を利用して入力された放送番組データの記録停止指令を受けたか否かを判定する。この判定の結果が否定的であった場合（ステップＳ４６：Ｎ）には、ステップＳ４６の処理が繰り返される。
【０１３１】
一方、ステップＳ４６における判定の結果が肯定的になると（ステップＳ４６：Ｙ）、ナビゲーション本体部４００における放送番組データの記録処理が終了する。
【０１３２】
以上説明したように、本実施形態では、当初に第１複合装置において記録処理を行い、その後に情報処理装置３００がナビゲーション本体部４００から取り外され、情報処理装置３００が放送番組記録装置５００に装着される場合の記録処理において、まず、第１複合装置が、情報処理装置３００の離脱の予兆を検出する。第１複合装置は、当該予兆を検出すると、記録処理状況報告ＲＩＮを放送番組記録装置５００へ向けて送信する。記録処理状況報告ＲＩＮを受けた放送番組記録装置５００は、放送番組データの一時記録を開始する。また、第１複合装置は、記録中断処理を検出すると、記録中断情報ＳＰＮを放送番組記録装置５００へ向けて送信する。記録中断情報ＳＰＮを受けた放送番組記録装置５００は、当該情報を保持し、情報処理装置３００が装着された場合に、記録中断情報ＳＰＮに基づき一時記録されたデータから記録中断処理後のデータを抽出して補完を行うとともに、装着後における放送番組データの記録のための処理を続行する。
【０１３３】
また、本実施形態では、当初に第２複合装置において記録処理を行い、その後に情報処理装置３００が放送番組記録装置５００から取り外され、情報処理装置３００がナビゲーション本体部４００に装着される場合の記録処理において、まず、第２複合装置が、情報処理装置３００の離脱の予兆を検出する。第２複合装置は、当該予兆を検出すると、記録処理状況報告ＲＩＨをナビゲーション本体部４００へ向けて送信する。記録処理状況報告ＲＩＨを受けたナビゲーション本体部４００は、放送番組データの一時記録を開始する。また、第２複合装置は、記録中断処理を検出すると、記録中断情報ＳＰＨをナビゲーション本体部４００へ向けて送信する。そして、記録中断情報ＳＰＨを受けたナビゲーション本体部５００は、当該情報を保持し、情報処理装置３００が装着された場合に、記録中断情報ＳＰＨに基づき一時記録されたデータから記録中断処理後のデータを抽出して補完を行うとともに、装着後における放送番組データの記録のための処理を続行する。
【０１３４】
したがって、本実施形態によれば、放送番組記録装置５００に大容量ストレージを備える必要はなく、簡易な構成で放送番組データの記録の際における利用者の利便性を向上することができる。
【０１３５】
［実施形態の変形］
本発明は、上記の実施形態に限定されるものではなく、様々な変形が可能である。
【０１３６】
例えば、上記の実施形態では、当初に情報処理装置がナビゲーション本体部に装着されている場合において、ナビゲーション本体部の記録制御部が、放送番組データの記録のための処理の中断を検出すると、記録中断情報を生成して放送番組記録装置へ送信する。そして、記録中断情報を受けた放送番組記録装置が当該情報の内容を保持し、情報処理装置が放送番組記録装置に装着された場合に、記録中断情報に基づき一時記録されたデータから記録中断処理後のデータを抽出して補完を行うとともに、装着後における放送番組データの記録のための処理を続行する。これに対して、ナビゲーション本体部の記録制御部が、放送番組データの記録のための処理の中断を検出した場合に、記録中断情報を情報処理装置の記録媒体に記録するようにしてもよい。この場合においては、情報処理装置が後に放送番組記録装置に装着された場合に、放送番組記録装置の記録制御部が、記録中断情報を読み取り、記録中断情報に基づき一時記録されたデータから記録中断処理後のデータを抽出して補完を行うとともに、装着後における放送番組データの記録のための処理を続行する。
【０１３７】
また、上記の実施形態では、当初に情報処理装置が放送番組記録装置に装着されている場合において、放送番組記録装置の記録制御部が、放送番組データの記録のための処理の中断を検出すると、記録中断情報を生成してナビゲーション本体部へ送信する。そして、記録中断情報を受けたナビゲーション本体部が当該情報の内容を保持し、情報処理装置がナビゲーション本体部に装着された場合に、記録中断情報に基づき一時記録されたデータから記録中断処理後のデータを抽出して補完を行うとともに、装着後における放送番組データの記録のための処理を続行する。これに対して、放送番組記録装置の記録制御部が、放送番組データの記録のための処理の中断を検出した場合に、記録中断情報を情報処理装置の記録媒体に記録するようにしてもよい。この場合においては、情報処理装置が後にナビゲーション本体部に装着された場合に、ナビゲーション本体部の記録制御部が、記録中断情報を読み取り、記録中断情報に基づき一時記録されたデータから記録中断処理後のデータを抽出して補完を行うとともに、装着後における放送番組データの記録のための処理を続行する。
【０１３８】
また、上記の実施形態では、記録媒体を内蔵した可搬型装置を、ナビゲーション処理機能等を備える情報処理装置としたが、ディスク装置やメモリカード装置等の情報処理を行わない大容量ストレージ装置であってもよい。この場合は、ナビゲーション処理機能はナビゲーション本体部が備えることになる。
【０１３９】
また、上記の実施形態では、ナビゲーション本体部又は放送番組記録装置からの情報処理装置の離脱の予兆は、情報処理装置が検出することにした。これに対して、情報処理装置がナビゲーション本体部に装着されている場合の離脱の予兆をナビゲーション本体部が検出し、また、情報処理装置が放送番組記録装置に装着されている場合の離脱の予兆を放送番組記録装置が検出するようにしてもよい。
【０１４０】
また、上記の実施形態では、情報処理装置がいずれの記録装置にも装着されていない間の放送番組データの補完は、情報処理装置が装着されたときに、ナビゲーション本体部又は放送番組記録装置が行うことにした。これに対して、当該データの補完を、情報処理装置が行うようにしてもよい。
【０１４１】
また、上記の実施形態では、情報処理装置がいずれの記録装置にも装着されていない間の放送番組データの補完は、情報処理装置が記録装置に装着された後に直ちに行い、当該補完に続けて、装着後における放送番組データの記録のための処理を続行することとした。これに対して、情報処理装置がいずれの記録装置にも装着されていない間の放送番組データの補完は、装着後における放送番組データの記録のための処理後に行うようにしてもよい。
【０１４２】
また、上記の実施形態では、情報処理装置がナビゲーション本体部に装着されている場合には、離脱予兆検出部は、ナビゲーション本体部と放送番組記録装置との距離が所定距離範囲内に入ったことを、ナビゲーション本体部からの情報処理装置の離脱の予兆として検出した。これに対して、情報処理装置がナビゲーション本体部に装着されている場合においても、上記の実施形態における情報処理装置が放送番組記録装置に装着されている場合と同様に、短距離無線通信手段としての無線通信ユニットを利用して、ナビゲーション本体部と放送番組記録装置との間で通信可能になったことを、ナビゲーション本体部からの情報処理装置の離脱の予兆として検出するようにしてもよい。
【０１４３】
また、記録処理状況報告には、記録に関する情報が含まれるものであってもよい。この場合において、情報処理装置が一方の記録装置から取り外され、他方の記録装置に装着されていない間に記録開始時刻になったときには、記録開始時刻からの放送番組データは、装着される他方の記録装置の一時記録部に記録される。そして、情報処理装置が、他方の記録装置に装着されたときに、当該記録開始時刻からの放送番組データが情報処理装置の記録媒体に記録されることになる。
【０１４４】
また、上記の実施形態においては、車両に搭載される記録装置を含む放送番組システムに本発明を適用したが、車両以外の他の移動体に搭載される放送番組記録システムにも本発明を適用することもできる。
【０１４５】
なお、上記の実施形態における制御ユニット、記録制御部を中央処理装置（ＣＰＵ：Central Processor Unit）やＤＳＰ（Digital Signal Processor）を備えるコンピュータとして構成し、制御ユニット、記録制御部の機能を、プログラムの実行によっても実現するようにすることもできる。これらのプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【０１４６】
【図１】本発明の一実施形態に係る放送番組記録システムの構成を概略的に示すブロック図である。
【図２】図１のナビゲーション本体部の構成を示すブロック図である。
【図３】図２の放送番組データ記録処理部の構成を示すブロック図である。
【図４】図１の放送番組記録装置の構成を示すブロック図である。
【図５】図１の情報処理装置の構成を示すブロック図である。
【図６】図５の放送番組データ処理部の構成を示すブロック図である。
【図７】当初に情報処理装置がナビゲーション本体部に装着されたときの、第１複合装置における放送番組データの記録処理を説明するためのフローチャートである。
【図８】当初に情報処理装置がナビゲーション本体部に装着されたときの、放送番組記録装置における放送番組データの記録処理を説明するためのフローチャートである。
【図９】当初に情報処理装置が放送番組記録装置に装着されたときの、第２複合装置における放送番組データの記録処理を説明するためのフローチャートである。
【図１０】当初に情報処理装置が放送番組記録装置に装着されたときの、ナビゲーション本体部における放送番組データの記録処理を説明するためのフローチャートである。
【符号の説明】
【０１４７】
１００  …  放送番組記録システム
３００  …  情報処理装置（可搬型装置）
３２０  …  記憶装置（記憶手段）
３４２  …  離脱予兆検出部（離脱予兆検出手段）
４００  …  ナビゲーション本体部（第１記録装置）
４２５  …  無線通信ユニット（短距離無線通信手段）
４３１  …  一時記録部（一時記録手段）
４３２  …  記録制御部（記録処理状況送信手段、中断検出手段、記録中断情
報送信手段、一時記録制御手段、保持手段）
４３３  …  読出部（記録処理手段）
４７０  …  ナビゲーションデータ取得ユニット（位置検出手段）
５００  …  放送番組記録装置（第２記録装置）
５２５  …  無線通信ユニット（短距離無線通信手段）
５４０  …  一時記録部（一時記録手段）
５５０  …  記録制御部（記録処理状況送信手段、中断検出手段、記録中断情
報送信手段、一時記録制御手段、保持手段）
５６０  …  読出部（記録処理手段）
【図１】
2010011262.tif 000003
【図２】
2010011262.tif 000004
【図３】
2010011262.tif 000005
【図４】
2010011262.tif 000006
【図５】
2010011262.tif 000007
【図６】
2010011262.tif 000008
【図７】
2010011262.tif 000009
【図８】
2010011262.tif 000010
【図９】
2010011262.tif 000011
【図１０】
2010011262.tif 000012